(57)【要約】【課題】  再生される音声を予め先読み編集し出力することができる使い勝手が良い光ディスク再生装置を提供する。【解決手段】  光ディスク再生装置は、光ディスクに記録された記録データを再生する再生手段と、前記再生手段が再生した前記記録データを記憶する記憶手段と、前記記憶手段に記憶された前記記録データを、先頭から順次読み出して出力する第１の出力手段と、前記記憶手段に記憶された前記記録データのアドレスを指定するための指定手段と、前記第１の出力手段による前記記録データの出力中、前記指定手段により指定されたアドレスの前記記録データを出力する第２の出力手段と、を備える。【選択図】  図１
2005038599.tif 000002
【特許請求の範囲】
【請求項１】
光ディスクに記録された記録データを再生する再生手段と、
前記再生手段が再生した前記記録データを記憶する記憶手段と、
前記記憶手段に記憶された前記記録データを、先頭から順次読み出して出力する第１の出力手段と、
前記記憶手段に記憶された前記記録データのアドレスを指定するための指定手段と、
前記第１の出力手段による前記記録データの出力中、前記指定手段により指定されたアドレスの前記記録データを出力する第２の出力手段と、
を備える、ことを特徴とする光ディスク再生装置。
【請求項２】
前記指定手段は、前記第２の出力手段が出力する前記記録データに基づく、さらなるアドレスの指定を受け付ける、ことを特徴とする請求項１に記載の光ディスク再生装置。
【請求項３】
前記第１の出力手段は、前記指定手段により指定されたアドレスにおいて前記記録データの読み出しを停止する、ことを特徴とする請求項２に記載の光ディスク再生装置。
【請求項４】
前記指定手段は２つのアドレスの指定を受け付け、
前記第２の出力手段は、前記指定手段により指定された２つのアドレス間の前記記録データを読み出す、
ことを特徴とする請求項１又は２に記載の光ディスク再生装置。
【請求項５】
前記指定手段により指定されたアドレス間の前記記録データを繰り返して出力するよう指示するための繰り返し出力指示手段をさらに備える、
ことを特徴とする請求項４に記載の光ディスク再生装置。
【請求項６】
前記第１の出力手段は、前記指定手段により指定された２つのアドレス間の前記記録データを飛ばして読み出すことを特徴とする請求項４に記載の光ディスク再生装置。
【請求項７】
前記指定手段はスライド式のボリウムから構成され、前記ボリウムのスライド移動に対応して記憶手段のアドレスが指定される、こと特徴とする請求項１乃至６のいずれか１項に記載の光ディスク再生装置。
【発明の詳細な説明】
【技術分野】
【０００１】
本発明は、光ディスク再生装置に関するものである。
【背景技術】
【０００２】
放送局や、ＤＪ（ディスクジョッキー）等においては、ライブ等の生で音声を出力するような場合が多い。そのため、複数の音声を素早く出力するためには、ひとつの音声を出力中に次に再生する音声の準備をしなければならない。
【発明の開示】
【発明が解決しようとする課題】
【０００３】
しかしながら、例えば、ディスクに音声の区切れ目による停止や、ディスクに傷があり再生不能のときは、速やかに対応することが出来なかった。傷等を飛ばして再生する等の速やかに対応することが出来ない場合があり、傷等により音飛びした音声がそのまま出力されてしまう等の問題点があった。
本発明は、再生される音声を予め先読み編集し出力することができる使い勝手が良い光ディスク再生装置を提供するものである。
【課題を解決するための手段】
【０００４】
上記目的を達成するため、本発明の観点に係る光ディスク再生装置は、光ディスクに記録された記録データを再生する再生手段と、前記再生手段が再生した前記記録データを記憶する記憶手段と、前記記憶手段に記憶された前記記録データを、先頭から順次読み出して出力する第１の出力手段と、前記記憶手段に記憶された前記記録データのアドレスを指定するための指定手段と、前記第１の出力手段による前記記録データの出力中、前記指定手段により指定されたアドレスの前記記録データを出力する第２の出力手段と、を備える、ことを特徴とする。
【０００５】
本発明によれば、指定したアドレスの記録データを予め先読み編集できる。そのため、ディスクの傷等により音飛びした音声が、そのまま出力されてしまう等の不具合を事前に防ぐことができる使い勝手が良い光ディスク再生装置を提供することができる。
【０００６】
上記構成の装置において、前記指定手段は、前記第２の出力手段が出力する前記記録データに基づく、さらなるアドレスの指定を受け付けてもよい。すなわち、第２の出力手段の出力に基づいて、その後さらに、アドレスを新たに指定してもよい。これにより、より正確なアドレス指定等が可能となる。
【０００７】
上記構成の装置において、前記第１の出力手段は、例えば、前記指定手段により指定されたアドレスにおいて前記記録データの読み出しを停止する。これにより、指定したアドレスから記録データの出力を停止することができ、音声データをポーズすることができるので、頭出し等をすることができる。
【０００８】
上記構成の装置において、前記指定手段は２つのアドレスの指定を受け付けてもよく、前記第２の出力手段は、前記指定手段により指定された２つのアドレス間の前記記録データを読み出してもよい。すなわち、所定のアドレス間を指定して、その範囲の音声データを出力させてもよい。
【０００９】
上記構成の装置において、前記指定手段により指定されたアドレス間の前記記録データを繰り返して出力するよう指示するための繰り返し出力指示手段をさらに備えてもよい。すなわち、指定したアドレス間の記録データを繰り返し出力することができ、特定部分のメロディーを再生することができる。
【００１０】
上記構成の装置において、前記第１の出力手段は、例えば、前記指定手段により指定された２つのアドレス間の前記記録データを飛ばして読み出す。これにより、光ディスクにノイズ、ディフェクトがある場合には、その部分を飛ばして再生することができる。
【００１１】
上記構成の装置において、前記指定手段は例えばスライド式のボリウムから構成され、前記ボリウムのスライド移動に対応して記憶手段のアドレスが指定される。この場合、指定アドレスの位置を目視で確認することができる。記録データが楽曲データの場合には、曲の再生位置を感覚的に把握することができる。そのため、特定箇所のメロディーを再生するときに、探し易い。
【発明の効果】
【００１２】
本発明によれば、再生される音声を予め先読み編集し出力することができる使い勝手が良い光ディスク再生装置が提供される。
【発明を実施するための最良の形態】
【００１３】
本発明に係る実施の形態について、以下、図面を参照して詳細に説明する。なお、以下に示す実施の形態は一例であり、これに限定されない。
【００１４】
図１は、本発明の光ディスク再生装置の一実施例を示すブロック図である。スピンドルモータ１に装着された光ディスク２は、サーボ制御ＩＣ３によって回転駆動される。光ディスク１から光ピックアップ１ａ、ヘッドアンプ１ｂによって読み出された信号は、サーボ制御ＩＣ内の復調回路（図示せず）で音声データに復調されＤＳＰ（デジタルシグナルプロセッサ）４に出力される。ＤＳＰ４によって信号処理された音声データはＲＡＭ（Random Access Memory）５に記憶される。そして、ＤＳＰ４によってＲＡＭ５から読み出された音声データが、Ｄ／Ｆ（デジタルフィルタ）６、Ｄ／Ａ（デジタルアナログ）変換器７で、デジタル−アナログ変換され、アンプ８を介して出力端子９から出力される。
【００１５】
サーボ制御ＩＣ３、ＤＳＰ４、Ｄ／Ｆ６、アンプ８は、マイクロコンピュータ１０によって制御される。アンプ８は、マイクロコンピュータ１０によって出力レベルが可変制御される。また、ＲＡＭ５に記憶された音声データの再生位置は、操作部１１のボリウム１１ａで指定可能である。操作部１１には、再生ボタン１１ｂ、ストップボタン１１ｃ、音声レベルの最大値を設定するレベル設定ボリウム１１ｄ、モニターボタン１１ｅ、ポーズボタン１１ｆ、リピートボタン１１ｇが設けられている。また、操作部１１には、液晶表示器などの表示部１２があり、音声レベル、音声データの再生位置が表示される。
【００１６】
光ディスク２の再生の際には、まず、ＲＡＭ５への音声データの記憶が開始され、所定の記憶容量分、音声データが記憶され停止する。再生ボタン１１ｂが押されて、実際の通常再生が開始されると、ＲＡＭ５に記憶された先頭のデータから読みだしが始まり、Ｄ／Ｆ６、Ｄ／Ａ７、アンプ８を介して出力端子９から出力される。それと同時にＲＡＭ５の記憶終了位置から光ディスク２に記憶された音声データのつなぎ部分を検出し、ＲＡＭ５に記憶された音声データの最後に続いて光ディスク２から読み出された音声データの記憶が開始される。
【００１７】
図２は、本発明による光ディスク再生装置の一実施例を示すＲＡＭ５とボリウムの説明図である。ボリウム１１ａの指示部１１ａ’で指示される指示位置とＲＡＭ５に記憶された音声データの読みだしアドレスは、対応しており、指示部１１ａ’の動きに合わせて音声データの読みだし開始アドレスが変更可能である。
【００１８】
ＲＡＭ５には、上述した光ディスク２からの再生されたデータが必要分記憶される。ＲＡＭ５に記憶された音声データの先頭部分は、再生ボタン１１ｂが押されたときに出力される。ボリウム１１ａは、このＲＡＭ５中の音声データの先頭部分から任意の位置を指定可能である。これにより、ボリウム１１ａによって指定された位置の音声データを先読みしてモニターすることができる。
例えば、指示部１１ａ’をボリウム１１ａの左端に移動すると、アドレスの先頭から後の任意の地点のデータの読みだしが行われる。また、例えば、指示部１１ａ’を操作後にポーズボタン１１ｆが押されると、押されたときのアドレスが確定され、区間が指定される。
なお、本実施例では、スライド式のボリウムを取り上げたが、ＲＡＭ５のアドレスとの位置関係がわかれば、例えば回転式ボリウム等の他のボリウムであってもよい。
【００１９】
図１に示す構成では、音声としてモニターすることはできないが、表示部１２によってレベルを監視することができる。レベル設定ボリウム１１ｄで出力される音声レベルの最大値を設定すると、ライン出力される音声レベルをＤＳＰ４が監視し、最大値を越えないようにマイクロコンピュータ１０で制御される。ボリウム１１ａの指示部１１ａ’を操作し２点間を指定し、リピートボタン１１ｇを一回押すと、２点間を一回だけ読みだして再生しモニターしたり、リピートボタン１１ｇを続けて２回押すと、繰り返し再生しモニターできるので、予めレベルオーバーをしている部分を表示部１２で容易に確認することができる。以上のような光ディスク再生装置を例えば、２台以上用いると、先に出力されている音声の出力レベルと続いて送出される音声の出力レベルを合わせてから出力することができる。そのため、音声を切り替えたときに、音声のレベル差によって生じる不自然な音声の出力を未然に防ぐことができる。
【００２０】
図３は、本発明の光ディスク再生装置の一実施例の動作を示すフローチャートである。図４は、本発明の光ディスク再生装置の一実施例の音声データのレベル制御を示す説明図である。予め出力される音声レベルの最大値を操作部１１のレベル設定ボリウム１１ｄでレベル設定すると、ステップＳＴ１で、音声データの信号レベルが最大値を越えたか否かを判断する。所定のしきい値レベルを越えると（ＳＴ１のＹ）、ＤＳＰ４は、マイクロコンピュータ１０にレベルオーバーを知らせ、ステップＳＴ２で、図４に示すようにレベルオーバーした時間ＸをＲＡＭ５に記憶する。マイクロコンピュータ１０は、出力の遅れを考慮し、時間Ｘから時間Ｔ（例えば約１秒）さかのぼりＸ−Ｔの時間（図４中Ｗ）になったことを検出すると（ステップＳＴ３のＹ）、ステップＳＴ４で、レベルを下げ始める。
【００２１】
マイクロコンピュータ１０は、波形Ａのレベルが波形Ｂのレベルとなるまで、音声データを徐々に減衰させる。そして、ステップＳＴ５で、レベルが設定値内になったかを判断する。所定のレベル値内になったときは（ＳＴ５のＹ）、ステップＳＴ６でレベルが所定のレベルに戻った時間Ｙをメモリ５に記憶する。ステップＳＴ７で、Ｙ＋ｔ時間（図４中Ｚ）に達すると（ＳＴ７のＹ）、Ｚのポイントで音声データが元に戻るように、ステップＳＴ８で、マイクロコンピュータ１０は、レベルを上げるよう減衰率を例えば０.７、０.８、０.９、１と可変し徐々にレベルを元に戻す。ステップＳＴ９で、レベル設定が元に戻ったことを検出すると（ＳＴ９のＹ）、処理を終了する。
【００２２】
図５は、本発明の光ディスク再生装置の他の実施例を示すブロック図である。図１のブロック図と共通の構成については説明を省略する。図５において、アンプ８に接続されたスピーカ９ａからは、ＲＡＭ５に記憶された音声データが先頭から出力される。また、モニター用にヘッドホン９ｂが設けられ、ＲＡＭ５に記憶された音声データが指定されたアドレスから、ＤＳＰ４、Ｄ／Ｆ６ａ、Ｄ／Ａ７ａ、アンプ８ａ、ヘッドホン９ｂを介して出力される。
【００２３】
図５のブロック図で光ディスク再生装置の動作を以下に説明する。まず、光ディスク２から音声データが読み出され、ＲＡＭ５に記憶される。ＲＡＭ５の先頭から読み出された音声データがスピーカ９ａから出力されている間、ＲＡＭ５からその後読み出されるべき音声データは、予めヘッドホン９ｂでモニターすることができる。
【００２４】
音声データは、スピーカ９ａからの出力前にヘッドホン９ｂで確認できるので、これから出力される音声データを編集することができる。例えば、ある位置でポーズをしたい場合は、ボリウム１１ａで指定した先読み位置の音声データをヘッドホン９ｂでモニターしながら、ポーズボタン１１ｆを押すと、押した位置でポーズされ、次に出力されるときの頭だしを行うことができる。更に、ポーズされた位置で、ボリウム１１ａの指示部１１ａ′を左右に動かすことで、ポーズされた前後の音声データをモニターすることができる。これによりポーズ位置を正確に位置出しすることができる。
【００２５】
このように、ヘッドホン９ｂでの先読みモニターは、スピーカ９ｂからの、ＲＡＭ５に記憶された音声データの先頭からの読み出し出力中に行うことができる。そのため、スピーカ９ａから不要な音声の出力を事前に回避することができ、所望の正確な位置出しをすることができる。このことは、一つの音声を出力中に次に再生する音声を複数準備をするようなＤＪ等のライブにおいて、特に有効である。
【００２６】
また、指示部１１ａ’で、音声データ中ある先頭部と終了部に移動させ、ポーズボタン１１ｆで確定することで、特定の区間データを選択することができる。選択後、リピートボタン１１ｇを押すと、この区間だけ一回だけ再生したり、繰り返し再生されるので、リピート区間をモニターにより正確に確認することができる。更に、スキップボタン１１ｈを押すと、選択した区間だけ飛ばして再生される。スキップボタン１１ｈにおいては、例えば、ディスクにノイズ、ディフェクトがある場合でも、このモニター機能によって、これらの不具合分を予め確認することができる。そのため、スピーカ９ａからの不具合な出力を事前に回避することができる。本発明は、ひとつの音声を出力中に次に再生する音声を複数準備をするようなＤＪ等のライブにおいて、有効である。
【図面の簡単な説明】
【００２７】
【図１】本発明の光ディスク装置の一実施例を示すブロック図。
【図２】本発明の光ディスク装置の一実施例のＲＡＭとボリウムの説明図。
【図３】本発明の光ディスク装置の一実施例の動作を示すフローチャート。
【図４】本発明の光ディスク装置の一実施例の音声データのレベル制御を示す説明図。
【図５】本発明の光ディスク装置の他の実施例を示すブロック図。
【符号の説明】
【００２８】
１：スピンドルモータ、１ａ：光ピックアップ、１ｂ：ヘッドアンプ、２：光ディスク、３：サーボ制御ＩＣ、４：ＤＳＰ、５：ＲＡＭ、６，６ａ：Ｄ／Ｆ、７，７ａ：Ｄ／Ａ、８，８ａ：アンプ、９：出力端子、９ａ：スピーカ、９ｂ：ヘッドホン、１０：マイクロコンピュータ、１１：操作部、１１ａ：ボリウム、１１ａ’：指示部、１１ｂ：再生ボタン、１１ｃ：ストップボタン、１１ｄ：レベル設定ボリウム、１１ｅ：モニターボタン、１１ｆ：ポーズボタン、１１ｇ：リピートボタン、１２：表示部
【図１】
2005038599.tif 000003
【図２】
2005038599.tif 000004
【図３】
2005038599.tif 000005
【図４】
2005038599.tif 000006
【図５】
2005038599.tif 000007